(57)【要約】【課題】不正防止の向上及び商品の品質の向上を図る。【解決手段】ユニット側支持部２３が扉側支持部１５に吊り下げられ、ガラスユニット８が外側リブ１３の内側に配置され、ユニット側ロック部２４がロック片１９の横に配置され、ユニット側位置決め部２５が扉側位置決め部１７に嵌めこまれ、扉側ロック部１６がユニット側ロック部２４に係合して、ガラスユニット８が前扉５に取り付けられて窓７を塞ぐことによって、内側リブ１４がガラスユニット８のガラス板１３に途切れることなく接触し、外側リブ１３がガラスユニット８を途切れることなく囲んで、不正操作部材が前扉５の前側から遊技機枠１の内部に挿入されるような不都合を防止できるうえ、内側リブ１４がガラスユニット８のフレーム２２を遊技機枠１の前方から見えないように目隠しをして、遊技機枠１の前方からフレーム２２が見えなくなり、商品の品質が向上する。【選択図】図１
2011056114.tif 000002
【特許請求の範囲】
【請求項１】
ガラスユニットが前扉の窓を塞ぐように取り付けられるパチンコ遊技機のガラスユニット取付装置において、前扉には外側リブと内側リブとが設けられ、外側リブはガラスユニットを途切れることなく囲む環状に構成され、内側リブはガラスユニットのガラス板に途切れることなく接触する環状に構成されたことを特徴とするパチンコ遊技機のガラスユニット取付装置。
【請求項２】
前扉の窓の上部と外側リブの上部との間には扉側支持部が設置され、前扉の外側リブよりも外側には扉側ロック部が設けられたことを特徴とする請求項1記載のパチンコ遊技機のガラスユニット取付装置。
【請求項３】
前扉の外側リブよりも外側には扉側位置決め部が設けられ、ガラスユニットのガラス板を支持するフレームにはユニット側位置決め部が設けられたことを特徴とする請求項1記載のパチンコ遊技機のガラスユニット取付装置。
【発明の詳細な説明】
【技術分野】
【０００１】
本発明は、不正防止及び商品の品質の両方が向上するパチンコ遊技機のガラスユニット取付装置に関する。
【背景技術】
【０００２】
図４は、特許文献１で開示されたパチンコ遊技機のガラスユニット取付装置を示す。図４において、ガラスユニット８が遊技機枠１の前扉５に取り付けられる場合、先ず、ガラスユニット８の上部に設けられたユニット側支持部２３が前扉５の上部に設けられた扉側支持部１５に吊り下げられる。次に、前扉５の下部に設けられた扉側ロック部１６がガラスユニット８の下部に設けられたユニット側ロック部３１に固定されることによって、ガラスユニット８が前扉５の窓７を塞ぐように前扉５に取り付けられる。
【０００３】
また、図４におけるガラスユニット取付装置は、ガラスユニット８で窓７を塞いだ状態において、不正操作部材が前扉５の前側から窓７とガラスユニット８との隙間を経由して遊技機枠１の内部に挿入されないように、前扉５に設けられた周壁３２でガラスユニット８の周りを囲むようになっている。しかしながら、周壁３２には、扉側支持部１５や扉側ロック部１６に対応して除去部３３が設けられているので、除去部３３から不正操作部材が挿入されるという欠点がある。
【０００４】
また、不正防止の観点から、特許文献２に記載された窓の縁から後方に突出したリブをガラスユニットに接触させる構造を特許文献１に取り入れることも考えられる。しかしながら、特許文献２の窓の縁のリブがガラスユニットの周縁部を遊技機枠の前方から見えないように目隠しをするようになっていないので、商品の品質が低下するという欠点がある。
【先行技術文献】
【特許文献】
【０００５】
【特許文献１】特開２００７−２９４７６号公報
【特許文献２】特開平１０−２０１９１９号公報
【発明の概要】
【発明が解決しようとする課題】
【０００６】
発明が解決しようとする課題は、不正防止と商品の品質とが悪いという点である。
【課題を解決するための手段】
【０００７】
本発明に係るパチンコ遊技機のガラスユニット取付装置は、ガラスユニットが前扉の窓を塞ぐように取り付けられた場合、前扉の外側リブがガラスユニットを途切れることなく囲む環状に構成され、前扉の内側リブがガラスユニットのガラス板に途切れることなく接触する環状に構成されたことを最も主要な特徴とする。
【発明の効果】
【０００８】
本発明に係るパチンコ遊技機のガラスユニット取付装置は、ガラスユニットが窓を塞ぐように前扉に取り付けられた場合、内側リブがガラスユニットのガラス板に途切れることなく接触し、外側リブがガラスユニットを途切れることなく囲むので、不正操作部材が前扉の前側から遊技機枠の内部に挿入されるような不都合を防止できるうえ、内側リブがガラスユニットのフレームを遊技機枠の前方から見えないように目隠しをするので、遊技機枠の前方からガラスユニットのフレームが見えなくなり、商品の品質が向上する。
【図面の簡単な説明】
【０００９】
【図１】実施の形態に係るパチンコ遊技機の分解斜視図。
【図２】実施の形態に係るパチンコ遊技機の斜視図。
【図３】実施の形態に係る前扉の縦断面図。
【図４】従来のガラスユニット取付装置の分解斜視図。
【発明を実施するための形態】
【００１０】
本明細書における「前」、「後」、「左」、「右」、「上」、「下」の方向は、図１の状態に遊技機枠１及びガラスユニット８を置いて矢印Ｓで示す前側から見た場合に特定される方向である。
【００１１】
図１を参照し、パチンコ遊技機について説明する。パチンコ遊技機は、遊技機枠１に遊技盤１１を着脱可能に取り付けたことによって構成される。遊技機枠１は、外枠２に本体枠３をヒンジ４で開閉可能に連結し、本体枠３に前扉５を図外のヒンジで開閉可能に連結した構成である。本体枠３には、球発射機構６、図外のタンク、図外の球払出機構が設けられる。前扉５には、窓７、ガラスユニット８、球受皿９、発射操作機構１０が設けられる。
【００１２】
次に、前扉５にガラスユニット８を取り付ける部分の構成について説明する。前扉６の後面には、外側リブ１３、内側リブ１４、扉側支持部１５、扉側ロック部１６、扉側位置決め部１７が設けられる。外側リブ１３は、前扉６の後面から後方に突出し、窓７及び扉側支持部１５を途切れることなく囲む環状を構成する。内側リブ１４は、窓７の縁から後方に突出し、ガラスユニット８のガラス板２１に途切れることなく接触する環状を構成する。
【００１３】
扉側支持部１５は、窓７の上部と外側リブ１３の上部との間に設置される。扉側ロック部１６は、外側リブ１３よりも外側において、少なくとも、上部左右２箇所と下部左右２箇所との合計４箇所に設けられ、前扉６に設けられた支柱１８にロック片１９を回動可能に取り付けた構成である。扉側位置決め部１７は、外側リブ１３よりも外側において、少なくとも、下部左右の２箇所に設けられる。
【００１４】
ガラスユニット８は、２枚の透明なガラス板２１を前後に離して対峙させ、当該２枚のガラス板２１をフレーム２２で支持した構成である。フレーム２２には、ユニット側支持部２３、ユニット側ロック部２４、ユニット側位置決め部２５が設けられる。ユニット側支持部２３は、フレーム２２の上部に設けられる。ユニット側ロック部２４は、少なくとも、フレーム２２の上部左右２箇所と下部左右２箇所との合計４箇所に設けられる。ユニット側ロック部２４は、フレーム２２の後縁部からフレーム２２の直径方向外側に突出する。ユニット側位置決め部２５は、少なくとも、フレーム２２の下部左右の２箇所に設けられる。
【００１５】
図１において、ガラスユニット８は前扉５に次のように取り付けられる。ユニット側支持部２３が前扉５の後側から扉側支持部１５に吊り下げられて、ユニット側支持部２３の左右方向への移動が規制される。次に、少なくとも、ロック片１９が邪魔にならないように外側リブ１３よりも外側に離れる方向に回転操作される。
【００１６】
その後、ガラスユニット８がユニット側支持部２３と扉側支持部１５との吊り下げ部分を回転中心として前側に移動されるのに伴い、ガラスユニット８が外側リブ１３の内側に配置され、ユニット側ロック部２４が外側リブ１３を越えてロック片１９の横に配置され、ユニット側位置決め部２５が外側リブ１３を越えて扉側位置決め部１７に嵌めこまれる。そして、扉側ロック部１６のロック片１９がユニット側ロック部２４の後側に配置されるように回転操作されてユニット側ロック部２４に係合する。ロック片１９がユニット側ロック部２４に係合する場合、支柱１８の周囲における前扉５に設けられた図外の突起とロック片１９とによってユニット側ロック部２４を前後方向から支持するように構成しもよい。以上によって、図２に示すように、ガラスユニット８が前扉５に取り付けられて窓７を塞ぐ。
【００１７】
図２において、ガラスユニット８が前扉５に取り付けられた場合、外側リブ１３がガラスユニット８のフレーム２２を途切れることなく囲むので、不正操作部材が前扉５の前側から遊技機枠１の内部に挿入されるような不都合を防止できる。扉側支持部１５とユニット側支持部２３との相互の吊り下げと扉側位置決め部１７とユニット側位置決め部２５との相互の嵌め込まれとによって、前扉５に対するガラスユニット８の位置が適切となるので、扉側ロック部１６のロック片１９とユニット側ロック部２４との係合が確保できる。また、扉側支持部１５とユニット側支持部２３とによる支持機構が上部に配置され、扉側位置決め部１７とユニット側支持部２３とによる位置決め機構が下部に配置されるというように、上記支持機構の配置と上記位置決め機構の配置とが対に構成されているので、上記支持機構と上記位置決め機構とが互い近くに配置された場合に比べ、上記位置決め機構による位置決め効果が良好に発揮できる。
【００１８】
図３に示すように、ガラスユニット８が前扉５に取り付けられた場合、内側リブ１４がガラスユニット８の前側のガラス板２１に接触し、外側リブ１３がガラスユニット８のフレーム２２の外側に位置するので、内側リブ１４のガラス板２１への接触と外側リブ１３のフレーム２２への囲いとによって、不正操作部材が前扉５の前側から遊技機枠１の内部に挿入されるような不都合を防止できる。
【００１９】
内側リブ１４がガラスユニット８のフレーム２２を遊技機枠１の前方から見えないように目隠しをする構成になっているので、遊技機枠１の前方からガラスユニット８のフレーム２２が見えなくなり、商品の品質が向上する。つまり、ガラスユニット８が前扉５に取り付けられた場合、不正防止が向上し、商品の品質が向上するという利点がある。
【００２０】
図１において、ガラスユニット８におけるフレーム２２の上部に設けられたユニット側支持部２３が前扉５の上部に設けられた扉側支持部１５に吊り下げられる構成を例示したが、図示をしないが、扉側支持部１５を前扉５の窓７と外側リブ１３との間の下部に設けられ、ユニット側支持部２３がフレーム２２の下部に設けられ、このフレーム２２の下部に設けられたユニット側支持部２３が上記前扉５の下部に設けられた扉側支持部１５に係合し、その扉側支持部１５とユニット側支持部２３との係合部分を回転中心としてガラスユニット８の上部が前扉５の側に持ち上げられるように構成してもよい。この構成におおいて、扉側位置決め部１７とユニット側位置決め部２５とによる位置決め機構を採用する場合、扉側位置決め部１７とユニット側位置決め部２５とが共に上部に設けられることによって、上記支持機構の配置と上記位置決め機構の配置とが対に構成されているので、上記支持機構と上記位置決め機構とが互い近くに配置された場合に比べ、上記位置決め機構による位置決め効果が良好に発揮できる。
【００２１】
図１において、扉側ロック部１６としては支柱１８にロック片１９を回動可能に取り付けた構成を例示したが、図示をしないが、支柱１８にロック片１９を前扉５の後面に沿って外側リブ１３に近づいたり外側リブ１３から離れたりするようにスライド可能に取り付けた構成でもよい。
【００２２】
図１において、扉側ロック部１６やユニット側ロック部２４は合計４箇所に限定されるものではなく、合計で１箇所乃至３箇所又は５箇所以上でもよい。扉側位置決め部１７やユニット側位置決め部２５は２箇所に限定されるものではなく、１箇所又は３箇所以上でもよい。
【００２３】
図３において、外側リブ１３と内側リブ１４との間に存在する空間２６には仮想線で示す被覆部材２７が設けられてもよい。被覆部材２７は、例えば、板状の部材であって、空間２６における後開口部を塞ぐように前扉５に取り付けられる。このように被覆部材２７が取り付けられることによって、被覆部材２７よりも前方の空間２６が回路基板又は電線又は光源又は光源の実装された回路基板のような部品の配置部分として利用されるようにしてもよい。光源又は光源の実装された回路基板が空間２６に配置される場合、それらの光源によって窓７の周囲の前部に設けられた表示部を発光させてもよい。また、被覆部材２７そのものが回路基板で構成されるか、又は、被覆部材２７が複数の被覆部材２７により構成され、そのうちの少なくとも１つの被覆部材２７を回路基板で構成してもよい。また、図１に示す扉側支持部１５の周囲における空間２６には被覆部材２７が設けられなくてもよく、被覆部材２７が複数の被覆部材２７により構成され、そのうちの少なくとも２つの被覆部材２７を互いに窓７を囲む円周方向に離して設けてもよい。
【符号の説明】
【００２４】
１は遊技機枠、２は外枠、３は本体枠、４はヒンジ、５は前扉、６は球発射機構、７は窓、８はガラスユニット、９は球受皿、１０は発射操作機構、１１は遊技盤、１２は欠番、１３は外側リブ、１４は内側リブ、１５は扉側支持部、１６は扉側ロック部、１７は扉側位置決め部、１８は支柱、１９はロック片、２０は欠番、２１はガラス板、２２はフレーム、２３はユニット側支持部、２４はユニット側ロック部、２５はユニット側位置決め部、２６は空間、２７は被覆部材、２８乃至３０は欠番、３１はユニット側ロック部、３２は周壁、３３は除去部。
【図１】
2011056114.tif 000003
【図２】
2011056114.tif 000004
【図３】
2011056114.tif 000005
【図４】
2011056114.tif 000006